(57)【要約】【課題】微細な金属糸を螺旋巻きして通電発熱する導電性糸を製作し、製造装置により金属糸をきれいに巻くことができる、導電性糸及びその製造装置を提供する。【解決手段】導電性糸の製造装置は基台７を含む。基台７上には軸座７０が設けられる。軸座７０上には軸柱７１が嵌着される。軸柱７１上にはベース７２が嵌合される。ベース７２下には回転ホイール７２１が配設される。ベース７２上には微細な金属糸２が巻かれたスプール７３が嵌入される。基台７には第１の動力源７４が配設される。第１の動力源７４は伝動車輪７４１を駆動する。伝動車輪７４１と回転ホイール７２１とは噛合される。基台７下には主軸線が巻かれたスピンドル７５が配設される。主軸線は軸柱７１の中央部に形成された貫通孔７１１に挿通された後、外側に微細な金属糸２が螺旋巻きされて導電性糸３が形成される。基台７上には第２の動力源７６が配設される。【選択図】図１
0003198480.tif 000002
【実用新案登録請求の範囲】
【請求項１】
基台を含む導電性糸の製造装置であって、
前記基台上には、軸座が設けられ、前記軸座上には、中央部に貫通孔を有する軸柱が嵌着され、
前記軸柱上には、ベースが嵌合され、前記ベース下には、回転ホイールが配設され、
前記ベース上には、微細な金属糸が巻かれたスプールが嵌入され、
前記基台には、第１の動力源が配設され、
前記第１の動力源は、伝動車輪を駆動し、
前記伝動車輪と前記回転ホイールとが噛合され、
前記基台下には、主軸線が巻かれたスピンドルが配設され、
前記主軸線は、前記軸柱の中央部に形成された前記貫通孔に挿通された後、外側に前記微細な金属糸が螺旋巻きされて導電性糸が形成され、
前記基台上には、第２の動力源が配設され、
前記第２の動力源により巻取り車輪が駆動されると、前記巻取り車輪により前記導電性糸が巻き取られることを特徴とする、
導電性糸の製造装置。
【請求項２】
動力のオン・オフ及び回転速度を制御するコントローラをさらに備えることを特徴とする請求項１に記載の導電性糸の製造装置。
【請求項３】
前記基台上には、前記主軸線を案内して前記軸柱の前記貫通孔に挿通し、前記導電性糸の完成品を前記巻取り車輪に巻き付ける複数のガイドローラが配設されていることを特徴とする請求項２に記載の導電性糸の製造装置。
【請求項４】
前記ベース上には、前記スプールが嵌着される位置規制凸柱が設けられていることを特徴とする請求項３に記載の導電性糸の製造装置。
【請求項５】
請求項１の製造装置を含む導電性糸であって、
前記導電性糸は、マルチフィラメント糸により構成された非導電性の主軸線と、前記主軸線の外側に巻かれた微細な金属糸と、から構成され、
前記微細な金属糸は、前記製造装置により案内されて前記主軸線の外側に螺旋巻きされ、前記導電性糸が形成されることを特徴とする、
導電性糸。
【請求項６】
前記導電性糸を生地の製作に応用し、前記生地の経は、布の両側が０．５〜０．６ｃｍの幅を有する縁部であり、複数本の金属導電線を経の導電線として用い、前記生地の中央部は、非導電性の紡績糸を有し、前記生地の経には、導電性糸が採用され、前記導電性糸の外表面に螺旋巻きされた微細な金属糸と、経の両辺の金属導電線とにより、経糸と緯糸とを交絡させて編み、導電性が良好なチャネルを有する生地が形成されることを特徴とする請求項５に記載の導電性糸。
【請求項７】
前記金属導電線の直径は０．０５〜０．１２ｍｍであることを特徴とする請求項６に記載の導電性糸。
【請求項８】
前記微細な金属糸の直径は０．０２〜０．１２ｍｍであることを特徴とする請求項７に記載の導電性糸。
【請求項９】
前記非導電性の主軸線の表面には、１ｃｍ毎に前記微細な金属糸が７０〜１２５回巻かれていることを特徴とする請求項８に記載の導電性糸。
【請求項１０】
前記生地の通電には、直流電流０〜２４Ｖの電源供給ユニットが使用されることを特徴とする請求項９に記載の導電性糸。
【考案の詳細な説明】
【技術分野】
【０００１】
本考案は、導電性糸（ｃｏｎｄｕｃｔｉｖｅ  ｙａｒｎ）及びその製造装置に関し、特に、微細な金属糸を螺旋巻きして通電発熱効果を有する導電性糸を製作し、製造装置により金属糸をきれいに巻く、導電性糸及びその製造装置に関する。
【背景技術】
【０００２】
従来のヒーターは、電熱、ガス熱などを利用して暖気を発生させてから、各排風口を介して暖気を部屋の隅々に至るまで吹き出す。暖気は軽い特性を有するため、暖気が吹き出されると部屋の高いところに溜まり、部屋の高いところにある空気が暖まった後に部屋の低いところの空気が暖まる。また、暖かい空気は高いところへ移動するため、部屋の中にいる者は暖かさを速やかに感じることはできなかった。そのため、従来のヒーターでは多くの電力、時間をかけなければ部屋の中の気温を所定の気温にすることはできなかった。熱風が流れて吹き出されるため、空間の空気中の湿気が失われて部屋の空気が乾燥し、熱気の吹き出しに使用する装置は運転の際に発生する騒音も大きかった。
【考案の概要】
【考案が解決しようとする課題】
【０００３】
本考案の目的は、微細な金属糸を螺旋巻きして通電発熱する導電性糸を製作し、製造装置により金属糸をきれいに巻くことができる、導電性糸及びその製造装置を提供することにある。
【課題を解決するための手段】
【０００４】
上記課題を解決するために、本考案の第１の形態によれば、基台を含む導電性糸の製造装置であって、前記基台上には、軸座が設けられ、前記軸座上には、中央部に貫通孔を有する軸柱が嵌着され、前記軸柱上には、ベースが嵌合され、前記ベース下には、回転ホイールが配設され、前記ベース上には、微細な金属糸が巻かれたスプールが嵌入され、前記基台には、第１の動力源が配設され、前記第１の動力源は、伝動車輪を駆動し、前記伝動車輪と前記回転ホイールとが噛合され、前記基台下には、主軸線が巻かれたスピンドルが配設され、前記主軸線は、前記軸柱の中央部に形成された前記貫通孔に挿通された後、外側に前記微細な金属糸が螺旋巻きされて導電性糸が形成され、前記基台上には、第２の動力源が配設され、前記第２の動力源により巻取り車輪が駆動されると、前記巻取り車輪により前記導電性糸が巻き取られることを特徴とする導電性糸の製造装置が提供される。
【０００５】
動力のオン・オフ及び回転速度を制御するコントローラをさらに備えることが好ましい。
【０００６】
前記基台上には、前記主軸線を案内して前記軸柱の前記貫通孔に挿通し、前記導電性糸の完成品を前記巻取り車輪に巻き付ける複数のガイドローラが配設されていることが好ましい。
【０００７】
前記ベース上には、前記スプールが嵌着される位置規制凸柱が設けられていることが好ましい。
【０００８】
上記課題を解決するために、本考案の第２の形態によれば、第１の形態の製造装置を含む導電性糸であって、前記導電性糸は、マルチフィラメント糸により構成された非導電性の主軸線と、前記主軸線の外側に巻かれた微細な金属糸と、から構成され、前記微細な金属糸は、前記製造装置により案内されて前記主軸線の外側に螺旋巻きされ、前記導電性糸が形成されることを特徴とする導電性糸が提供される。
【０００９】
前記導電性糸を生地の製作に応用し、前記生地の経は、布の両側が０．５〜０．６ｃｍの幅を有する縁部であり、複数本の金属導電線を経の導電線として用い、前記生地の中央部は、非導電性の紡績糸を有し、前記生地の経には、導電性糸が採用され、前記導電性糸の外表面に螺旋巻きされた微細な金属糸と、経の両辺の金属導電線とにより、経糸と緯糸とを交絡させて編み、導電性が良好なチャネルを有する生地が形成されることが好ましい。
【００１０】
前記金属導電線の直径は０．０５〜０．１２ｍｍであることが好ましい。
【００１１】
前記微細な金属糸の直径は０．０２〜０．１２ｍｍであることが好ましい。
【００１２】
前記非導電性の主軸線の表面には、１ｃｍ毎に前記微細な金属糸が７０〜１２５回巻かれていることが好ましい。
【００１３】
前記生地の通電には、直流電流０〜２４Ｖの電源供給ユニットが使用されることが好ましい。
【考案の効果】
【００１４】
本考案の導電性糸及びその製造装置は、以下（１）〜（４）の効果を有する。
（１）製造装置により非導電性主軸線を引っ張り上げ、その外表面には微細な金属糸が螺旋巻きされるため、引張切断され難く、柔軟性及び弾性を有する。
（２）螺旋巻きされる微細な金属糸は、通電発熱されると、加熱による膨張又は冷却による収縮が発生し、伸縮機能が高い。
（３）他の材料の混紡と組み合わせて様々な用途の織物を編成して染色、プリント、洗浄、裁断などの加工を行い、加工製造により通電発熱するマットレス、カーテン、壁布、冬季及び医療で暖を取るためのスリーブ、膝当て、腰当て、脚部パッド、椅子用シート又はカーペットに形成し、冬季用の各種暖房装置に代替する。
（４）従来の暖房装置の消費電力と比べ、消費電力を４５％以上減らすことができる。
【図面の簡単な説明】
【００１５】
【図１】本考案の一実施形態に係る導電性糸の製造装置を示す説明図である。
【図２】本考案の一実施形態に係る主軸線を示す説明図である。
【図３】本考案の一実施形態に係る微細な金属糸を示す説明図である。
【図４】本考案の一実施形態に係る導電性糸を示す説明図である。
【図５】本考案の一実施形態に係る金属導電線を示す説明図である。
【図６】本考案の一実施形態に係る生地を示す説明図である。
【考案を実施するための形態】
【００１６】
以下、本考案の実施形態について図に基づいて説明する。なお、これによって本考案が限定されるものではない。
【００１７】
まず、図２〜図４を参照する。図２〜図４に示すように、本考案の一実施形態に係る  導電性糸及びその製造装置の導電性糸は、非導電性の主軸線１と、主軸線１の外側に巻かれた微細な金属糸２とから構成されてなる。
【００１８】
非導電性の主軸線１は、マルチフィラメント糸により構成されている。
【００１９】
主軸線１の外側に巻かれた微細な金属糸２は、導電性金属糸（例えば、金、銀、銅、タングステン、モリブデンなどの微細な糸）であり、直径が０．０２〜０．１２ｍｍであることが好ましい。
【００２０】
微細な金属糸２は、製造装置により案内され、主軸線１の外側に螺旋巻きされ、伸縮性及び弾性を有する導電性糸３が形成されている。
【００２１】
図１を参照する。図１に示すように、本考案の一実施形態に係る導電性糸の製造装置は、基台７を含む。
【００２２】
基台７上には、軸座７０が設けられる。軸座７０上には、中央部に貫通孔７１１を有する軸柱７１が嵌着されている。軸柱７１上には、ベース７２が嵌合されている。ベース７２下には、回転ホイール７２１が配設される。ベース７２上には、微細な金属糸２が巻かれたスプール７３が嵌入されている。軸柱７１上には、スプール７３を位置規制する位置規制ブロック４が嵌合されている。
基台７には、第１の動力源７４が配設されている。第１の動力源７４は、伝動車輪７４１を駆動し、伝動車輪７４１と回転ホイール７２１とが噛合され、基台７下には、主軸線１が巻かれたスピンドル７５が設けられている。主軸線１は、軸柱７１の中央部に形成された貫通孔７１１に挿通された後、外側に微細な金属糸２が螺旋巻きされて導電性糸が形成される。基台７上には、第２の動力源７６が設けられている。第２の動力源７６により巻取り車輪７７が駆動されると、巻取り車輪７７は、導電性糸３を巻取る。
【００２３】
図１を参照する。本考案の一実施形態に係る導電性糸の製造装置により実際に導電性糸３を製作する際、まず、非導電性の主軸線１をスピンドル７５に巻付けてから、複数のガイドローラ７８により、軸柱７１の中央部に形成された貫通孔７１１に案内して挿通させた後、主軸線１がガイドローラ７８を介して巻取り車輪７７に巻き掛けられる。その後、微細な金属糸２が巻付けられたスプール７３がベース７２に嵌入される。ベース７２上には、スプール７３を嵌合する位置規制凸柱７２０が設けられ、軸柱７１上には、スプール７３を位置拘束する位置規制ブロック４が嵌合されている。
まず、微細な金属糸２を主軸線１上に巻付ける。コントローラ８を利用して動力源７４，７６及び巻取り車輪７７のオン・オフ及び回転速度を制御し（回転速度を０〜４８００ｒｐｍに設定する）、軸柱７１は、第１の動力源７４によりスプール７３を回転させるとともに、第２の動力源７６により巻取り車輪７７を駆動し、巻取り車輪７７により主軸線１を巻き取って引っ張り、微細な金属糸２が製造装置により主軸線１の外側に放物線で螺旋巻きされ、これにより、非導電性の主軸線１が上方へ１ｃｍ移動する毎に、その表面に微細な金属糸２が７０〜１２５回巻かれ、通電発熱する導電性糸３が形成されて巻取り車輪７７により巻き取られ、導電性糸３が製作される。
【００２４】
続いて、図２〜図６を参照する。図２〜図６に示すように、導電性糸３を平織物、混紡織物などの織布に応用する際、緯の紡績糸として用い、経の紡糸には、各種非導電性の一般の糸５を用い、異なる色を選択し、織物が通電発熱して高い柔軟性を有し、編み柄、染色、印刷することができる各種生地及び各種カーペットを製作してもよい。また、導電性糸３により、直径が異なる紡績用の紡糸を製作してもよく、導電性糸３の径の寸法に依り様々な織物製品に応用することができる。
例えば、実施例Ａのように、細めの導電性糸３により一般の衣料用生地、ベッドカバー、布団カバー、カーテンなどの様々な保温又はその他の用途の通電発熱生地を製作してもよいし、実施例Ｂのように、太めの導電性糸３と一般の太めの紡糸とを編成し、通電発熱可能な各種毛布、カーペット、融雪マットを製作してもよい。
【００２５】
以下、本考案の導電性糸の通電発熱原理及び機能について説明する。
【００２６】
各種生地を編成する際、生地Ａの経は、布の両側が約０．５〜０．６ｃｍの幅を有する縁部であり、約数十本の金属導電線６（線径が約０．０５〜０．１２ｍｍの微細な銅又は銀の糸である）を経の導電線として用い、生地Ａの中央部は、非導電性の紡績用糸５を有する。糸５には、様々な色、材料が混ぜられ、様々な色、模様及び染色が施された布を製作することができる。生地Ａの経には、マルチフィラメント糸により製作された主軸線１の外表面に微細な金属糸２の導電性糸３が巻かれ、導電性糸３の外表面に螺旋巻きされた微細な金属糸２と、経の両辺の金属導電線６（微細な銅又は銀糸）とにより、経糸と緯糸とを交絡させて編み、導電性が良好なチャネルを有する生地を形成する。
生地Ａの両側部の金属導電線６には、交流電流又は直流電流の０〜２４Ｖを供給する電源供給ユニット９が設けられている。発熱生地Ａは、熱を発生させ、コンピュータにより電圧Ｖ、電流Ａ、温度Ｔ、時間などを調整することができる。即ち、生地に所望の温度（０〜６５℃の範囲）を発生させ、生地Ａを編成する糸間に発生する設定温度を均一にすることができ、消費電力が非常に少ない上、電撃及び電磁波による怪我及び危険を防ぐことができる。
【００２７】
実際に使用する際、室内に固定又は置敷されるカーペットマット暖房用に応用する場合、同一の単位面積当たりの各平面内の微小な紡績単位点面積上で、同じ熱量が平均的に放出されるため、熱温度が自然に上昇する原理に依り、ドライヤーで熱風を吹き出す必要はない。そのため、通電発熱可能な電気カーペットなどの混紡製品は、床、カーペットの底部から温められた空気が上昇して空間の隅々まで温度が高まるため、熱風が吹き付けられて乾燥したり騒音により使用者が不快に感じたりすることはない。
【００２８】
また、導電性線の生地を緯で切断して使用することもできる。ここで切断する寸法は自由に選択することができ、切断された生地は、経の両側の金属導電線６が並列接続・直列接続されて給電されると、生地が通電発熱し、日常生活の防寒用のベッドカバー、マットレス、布団カバー、クッション、カーテン、壁布などの用途として用いたり、様々な寸法の毛布、カーペット、融雪マットなどを編成する用途として用いたりし、室内に暖気を供給することができるため、施工の必要性が無く、非常に安全かつ便利である上、ソーラーエネルギーテント、潜水服として利用することもできる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１      主軸線
２      微細な金属糸
３      導電性糸
４      位置規制ブロック
５      糸
６      金属導電線
７      基台
８      コントローラ
９      電源供給ユニット
７０    軸座
７１    軸柱
７２    ベース
７３    スプール
７４    第１の動力源
７５    スピンドル
７６    第２の動力源
７７    巻取り車輪
７８    ガイドローラ
７１１  貫通孔
７２０  位置規制凸柱
７２１  回転ホイール
７４１  伝動車輪
Ａ      生地
【図１】
0003198480.tif 000003
【図２】
0003198480.tif 000004
【図３】
0003198480.tif 000005
【図４】
0003198480.tif 000006
【図５】
0003198480.tif 000007
【図６】
0003198480.tif 000008